(57)【要約】【課題】異なるページに表示された隣接する枚葉地図間において、道路の接続関係を明確に提示し、複数のページに渡って道路を容易かつ迅速に辿れるようにする。【解決手段】道路地図において、上下方向に隣接する領域を４３ページおよび５０ページの枚葉地図に各々掲載する。４３ページの枚葉地図の図枠Ｌ１の周縁部、及び５０ページの枚葉地図の図枠Ｌ２の周縁部に、各枚葉地図内において図枠Ｌ１、Ｌ２に達した道路を特定するための道路情報Ｓ３〜Ｓ６を表示する。道路情報は、道路種別を表わす図形内に、道路に付された道路番号を表示する。【選択図】図２
2007212832.tif 000002
【特許請求の範囲】
【請求項１】
隣接する地域に対応する枚葉状に表示された複数の枚葉地図を表示する道路地図において、前記各枚葉地図の図枠の周辺部に、前記各枚葉地図内において前記図枠に達した道路を特定する道路情報を表示する地図情報表示方法。
【請求項２】
前記道路情報が、道路種別および前記道路に付された道路番号を含むことを特徴とする請求項１に記載の地図情報表示方法。
【請求項３】
前記道路種別が図形によって表わされ、前記道路番号が前記図形内に表示されることを特徴とする請求項２に記載の地図情報表示方法。
【請求項４】
請求項１〜請求項３の何れか一項に記載の地図情報表示方法を用いたことを特徴とする道路地図。
【発明の詳細な説明】
【技術分野】
【０００１】
本発明は、地図情報の表示方法およびこの方法を用いた道路地図に関する。
【背景技術】
【０００２】
一般に道路地図は、広域地図を複数の領域に格子状に分割し、各領域の拡大地図を区分地図としてページ毎に印刷している。各ページの図枠周縁部には、区分地図を更に区分表示するアルファベット記号や数字などの索引符号や、特定の道路、鉄道を辿って行った先の到達地名や、隣接区分地図に対応するページ番号などが記載されている。
【０００３】
しかし、特定の道路を辿って図枠の端まで到達した場合、その先が隣接区分地図のどの部分に対応しているのかは示されておらず、隣接区分地図が表示されたページを見てもこれまで辿ってきた道路を迅速・容易に見出すことは難しかった。このような問題に対して、区分地図よりもひとまわり広い領域を各ページに印刷し、その内側に区分地図の境界線を表示することにより、区分地図間の接続位置を認識させるものが提案されている（特許文献１）。
【特許文献１】実公平０８−００２６９７号公報
【発明の開示】
【発明が解決しようとする課題】
【０００４】
しかし、上記特許文献１の方法では、道路を辿るときに依然図形認識（形状、色、位置などの認識）を行なう必要がある。特にページが異なる場合には、次のページにおいて当該道路を見つけ出すことは容易ではない。
【０００５】
本発明は、隣接地域に対応する枚葉地図間において、道路の接続関係を明確に提示し、複数のページに渡って道路を容易かつ迅速に辿れる地図情報の表示方法およびこの方法を用いた道路地図を提供することを課題としている。
【課題を解決するための手段】
【０００６】
本発明に係る地図情報表示方法は、隣接する地域に対応する枚葉状に表示された複数の枚葉地図を表示する道路地図において、各枚葉地図の図枠の周辺部に、各枚葉地図内において図枠に達した道路を特定する道路情報を表示したことを特徴としている。
【０００７】
例えば道路情報は、道路種別および道路に付された道路番号を含む。また、道路種別は図形によって表わされ、道路番号が図形内に表示されることが好ましい。
【０００８】
本発明に関わる道路地図は、上記地図情報表示方法を用いたことを特徴としている。
【発明の効果】
【０００９】
以上のように、本発明によれば、隣接地域に対応する枚葉地図間において、道路の接続関係を明確に提示し、複数のページに渡って道路を容易かつ迅速に辿れる地図情報の表示方法およびこの方法を用いた道路地図を提供することができる。
【発明を実施するための最良の形態】
【００１０】
以下、本発明の実施の形態を、図面を参照して説明する。
図１は、本発明の一実施形態である道路地図における広域図の部分拡大図である。図示されるように、広域図Ｗは格子状に区分けされた複数の矩形領域（区分地図）に分割され、各区分地図にはその拡大図が表示されるページ番号（２３、２４、２７〜２９、３３〜３５等）が付されている。なお、本実施形態において、１つの区分地図は、道路地図の左右２枚の見開きページに掲載され、ページ番号は見開きページ毎に付番される。
【００１１】
図２は、広域図Ｗにおいてページ番号４３、５０（図１には図示せず）が付された区分地図が掲載された枚葉地図の部分拡大図である。すなわち、区分地図４３（以下区分地図の参照番号にページ番号を用いる）は、道路地図において見開きの４３ページの枚葉地図に掲載され、区分地図５０は見開きの５０ページの枚葉地図に掲載される。
【００１２】
本実施形態において、区分地図４３、５０は上下方向に隣接するものであり、区分地図４３が上側の地図、区分地図５０が下側の地図に対応する。また本実施形態では、区分地図の周囲４辺に所定の幅のマージン地図領域が設けられる。すなわち、各見開きページに掲載された枚葉地図は、同ページ番号が付された区分地図よりも一回り大きい領域を掲載し、マージン地図領域は２枚のページにおいて重複して掲載される。
【００１３】
図２では、４３ページに掲載された区分地図４３を含む枚葉地図の図枠下辺Ｌ１と、５０ページに掲載された区分地図５０を含む枚葉地図の図枠上辺Ｌ２とが示されており、図２において、線Ｂは４３ページの下辺および５０ページの上辺に対応する。各ページの図枠の周縁には、隣接する区分地図のページ番号を含む矢印記号Ｓ１、Ｓ２等が表示される。例えば４３ページの図枠下辺Ｌ１には、「５０」と表示された下向きの矢印記号Ｓ１が表示され、５０ページの図枠上辺Ｌ２には、「４３」と表示された上向きの矢印記号Ｓ２が表示される。なお、従来周知のように、同様の矢印記号は図枠の左右の辺（更に角部）にも設けられる。
【００１４】
また、各図枠の周囲には、従来周知のように、枚葉地図を格子状に分割したときの各領域の位置を特定するための数字、およびアルファベットが表示される。例えば、緯度方向に数字が割り当てられ、経度方向にアルファベットが割り振られている（図２は、上下の辺のみを示すのでアルファベットのみが示されている）。
【００１５】
例えば、区分地図５０において道路を辿っている場合、当該道路が図枠上辺Ｌ２に達すると、矢印記号Ｓ２から当該道路を更に辿るには４３ページの地図を参照すればよいことが分かる。しかし従来、図枠に達した道路には、「○○へ至る」など、その道路の延長先が到達する地名が記載されているのみであった。したがって、当該道路の端が４３ページの図枠下辺Ｌ１のどの位置から始まるかは、５０ページにおいて図枠上辺Ｌ２に達した当該道路の周辺図形と、４３ページにおける図枠下辺Ｌ１周辺における図形を見比べて（形状、色、位置などの図形認識に基づいて）、当該道路の開始位置を探し出す必要があった。
【００１６】
このような問題を解決するために、本実施形態では、各枚葉地図において、地図内の主要道路が図枠に達した場合、その近傍に、当該道路を特定する記号（道路記号）Ｓ３、Ｓ４、Ｓ５、Ｓ６が付される。この記号は、例えば道路種別（国道、県道、市道など）と、それぞれの道路に個別に付けられた番号などの情報を含むものである。
【００１７】
例えば「国道１９号線」は、国道を表わす角が丸められた青色の逆三角形（図形）内に国道番号「１９」が付されて一般に表わされる。したがって、本実施形態では、図２に示されるように、国道１９号線が、５０ページの図枠上辺Ｌ２に達した位置、および４３ページの図枠下辺Ｌ１に達した位置に、角が丸められた逆三角形内に国道番号「１９」が付された記号Ｓ３、Ｓ４がそれぞれ表示される（例えば図枠外側のマージン領域に表示）。なお、県道や市道についても同様であり、例えば、道路地図において県道、市道等を表わすのに一般的に用いられる図形（色の違いも含む）、文字、数字の組み合わせ記号が、各道路が図枠に達した位置（図枠外側）に表示される。
【００１８】
これにより、１つのページで道路を辿り図枠の一辺に達したら、その位置に記された記号および番号を記憶し、次ぎのページの対応する図枠の一辺において、記憶した記号および番号を見つけるだけで、次ページにおける当該道路の開始位置を見出すことができる。
【００１９】
以上のように、本実施形態によれば、図形認識を行なわなくとも、複数のページにまたがって道路を辿る場合にも、極めて簡単に当該道路をそれぞれのページにおいて見出すことができる。これにより、極めて容易、迅速、確実に道路を複数のページに渡って辿ることができる。
【００２０】
また、上記実施形態では、広域地図が同じ大きさの区分地図に格子状に分割される場合を例に説明を行なったが、本実施形態の地図情報表示方法は、例えば縮尺の異なる場合においては特に有効である。例えば、図１に示される区分地図２３と区分地図２８は隣接はしているが縮尺は異なる。このような場合、例えば区分地図２８の上左端の道路を辿って区分地図２３に移動した際、直感的には下左端に接続すると考えるが、実際にはその位置には接続する道路は無く区分地図２３の下中央部に存在する。このような場合区分地図２３の図枠周辺部に、対応する道路記号を表示することによりすばやく当該道路を発見できる。
【００２１】
また例えば、図１に示される「一宮市」周辺は、その周辺地域に比べ表示すべき情報量が多いので、例えば図枠Ｆで示される領域が見開きの１ページに掲載される。このとき、区分地図２４とは縮尺が大きく異なることとなる。このような場合にも、例えば、区分地図２４内に図枠Ｆに対応する枠を表示し、その周囲に道路記号を表示するとともに、図枠Ｆ内の拡大図を掲載したページの図枠の周辺部に、対応する道路記号を表示することにより、縮尺が異なる地図間においても同様の効果を得ることができる。
【００２２】
なお、本実施形態では、区分地図の周囲にマージン地図領域を設けたが、マージン地図領域を設けない場合にも、本実施形態の地図情報表示方法を適用できることは言うまでもない。
【００２３】
また、本実施形態では紙に印刷された地図を例に説明を行ったが、本発明はこれに限定されるものではない。例えば紙に印刷された地図と全く同じ地図面をディスプレイ上に表示するアプリケーションにおいて、表示された区分地図の図枠周辺部に配置された隣接する区分ページを示す矢印記号をクリックすると該当ページを表示させる場合、本実施形態の地図情報表示方法を適用できることは言うまでもない。
【００２４】
したがって、本願特許請求の範囲及び明細書において、用語「枚葉地図」は紙に印刷された地図に限定されるものではなく、上述のようにディスプレイに枚葉状に地図を表示するものも含む。
【図面の簡単な説明】
【００２５】
【図１】本発明の一実施形態である道路地図における広域図の部分拡大図である。
【図２】広域図においてページ番号４３、５０が付された区分地図が掲載された枚葉地図の部分拡大図である。
【符号の説明】
【００２６】
Ｂ  ４３ページの上辺および５０ページの下辺
Ｆ  都市拡大図の図枠
Ｗ  広域図
Ｌ１  ４３ページの図枠下辺
Ｌ２  ５０ページの図枠上辺
Ｓ１、Ｓ２  矢印記号（隣接ページ番号）
Ｓ３〜Ｓ６  道路記号（道路情報）
【図１】
2007212832.tif 000003
【図２】
2007212832.tif 000004